(57)【要約】【課題】紙幣の集積高さにより紙幣の収容量を測定する装置においては、その紙幣の流通度により高さの変動が大きいため、作業者が紙幣を装填する際に装填する紙幣が官封札であれば、官封札であることを紙幣処理装置に入力する必要があった。紙幣処理装置により自動的に官封札の判定を行うことで紙幣装填時の作業者の操作を減らし、取引装置における前述の問題点を解決するものである。【解決手段】本発明は、搬送された紙幣の記番号を光学的に読み取り、記番号が複数連続している場合に、官封札であると判断する構成にした。これにより作業者は装填する紙幣が官封札であるかの情報を入力する必要がなくなり、作業効率の向上になる。【選択図】図１
2010277210.tif 000002
【特許請求の範囲】
【請求項１】
搬送された紙幣の記番号を光学的に読み取る記番号読み取り手段と、
搬送された紙幣において、最近の複数枚の記番号を記憶する手段と、
該記憶手段で記憶した記番号が少なくとも複数連続している場合に、
官封札であると判断する判断手段と、を備えた紙幣搬送装置において、
搬送された複数の紙幣が前記判断手段で官封札であると判断した場合に、
官封札に対応した前記紙幣の搬送制御を行うことを特徴とする紙幣搬送装置。
【請求項２】
紙幣の入出金カセット内で上下動自在に設けられて上面に紙幣が集積載置される押圧板と、
押圧板の上下位置により紙幣の集積高さを検出する機構と、
集積高さＨにより紙幣の収容量Ｍ＝ａＨを算出する装置において、
前記判断手段で判定した結果、官封札であった場合に、
紙幣収容量を算出する演算式を補正し、官封札の収容量Ｎ＝ｂＨを算出することを特徴とする請求項１の紙幣処理装置。
（ただしＭおよびＮ：紙幣収容量（枚）、Ｈ：集積高さ、ａ：流通札の集積高さあたりの枚数、ｂ：官封札の集積高さあたりの枚数）
【請求項３】
紙幣の低速搬送、高速搬送を切り替える速度切替手段を備え、
前記判断手段で判定した結果、官封札であった場合に、
前記紙幣の搬送速度を低速搬送に前記速度切替手段で切り替えすることを特徴とする請求項１の紙幣処理装置。
【請求項４】
紙幣を計数して入出金カセットに装填する紙幣処理装置において、
前記判断手段で流通札か官封札かを判定する第１の判定手段と、
紙幣の入出金カセット内で上下動自在に設けられて上面に紙幣が集積載置される押圧板と、
押圧板の上下位置により紙幣の集積高さを検出する機構を有し、
紙幣の収容量Ｎと集積高さＨにより、集積高さあたりの枚数ｃ＝Ｎ／Ｈを算出する装置において、
ｃの値により流通札か官封札かを判定する第２の判定手段と、
同一額面金種の官封札を収納する第１の入出金カセットと、
同一額面金種の流通札を収納する第２の入出金カセットと、
上位からの指令に従い紙幣の取扱い処理を制御する制御部と、
該制御部は上位からの紙幣の出金要求に対して第２の入出金カセットに収納されている流通札よりも第１の入出金カセットに収納されているの官封札を優先して出金することを特徴とする請求項１の紙幣処理装置。
【請求項５】
前記第１の入出金カセットに収納された紙幣の残量を検知する検知手段を設け、
該制御部は上位からの紙幣の出金要求に対して、前記検知手段で第１の入出金カセットに収納されている官封札が無いことを検知した場合、流通札を収納する入出金カセットとして運用することを特徴とする請求項４の紙幣処理装置。
【請求項６】
入出金カセットに紙幣を装填した時に所定の紙幣を搬送し、該紙幣が正常に入出金カセットに収納できるか否かを確認する搬送路確認手段を備え、
該搬送路確認を実施する際に記番号読み取りを行い、
前記判断を行うことを特徴とする請求項２の紙幣処理装置。
【請求項７】
入出金カセットからの出金時に前記記番号読み取り手段で出金された紙幣の記番号読み取りを行い、前記判定を行うことを特徴とする請求項２の紙幣処理装置。
【請求項８】
請求項１〜４の紙幣処理装置を設けた取引処理装置において
顧客に案内する表示部を有し
出金される紙幣が官封札の場合に官封札が出金可能な旨を該表示部に表示案内することを特徴とする請求項４記載の取引処理装置。
【発明の詳細な説明】
【技術分野】
【０００１】
本発明は紙幣を取り扱う紙幣処理装置に関し、特に官封札の自動検知が可能な紙幣処理装置および該紙幣処理装置を備えた取引処理装置に関する。
【背景技術】
【０００２】
官封札を希望する顧客のために両替機に官封札を装填し、流通札を官封札に両替する運用は一般的に行われている。
【０００３】
一方で紙幣処理装置に紙幣を装填する際において装填時間の短縮や搬送による紙幣の損傷を防ぐため、紙幣を計数せずに紙幣の集積高さにより紙幣の収容量を測定する装置が多く運用されている。紙幣の集積高さにより紙幣の収容量を測定する装置においては、その紙幣の流通度により高さの変動が大きいため、収容量を補正する方式がある（特許文献１参照）。この補正方式は、作業者が入力するなどの手段により得た紙幣の枚数と実際の集積高さから演算することにより収容量を補正している。
【０００４】
また、顧客の要望により、官封札か流通札かを指定して出金する装置が提案されている（特許文献２参照）。この装置は官封札用、流通札用それぞれの出金カセットを必要とし、それぞれの出金カセットに紙幣を装填する必要があった。
【先行技術文献】
【特許文献】
【０００５】
【特許文献１】特開平８−６９５５３号公報
【特許文献２】特開平９−６２８９５号公報
【発明の概要】
【発明が解決しようとする課題】
【０００６】
前記従来例によれば、紙幣の集積高さにより紙幣の収容量を測定する装置においては、その紙幣の流通度により高さの変動が大きいため、作業者が紙幣を装填する際に装填する紙幣が官封札であれば、官封札であることを紙幣処理装置に入力する必要があった。
【０００７】
また、特許文献１のように紙幣の収容枚数と集積高さから演算することにより収容量を補正する装置も提案されている。しかしながらその場合の紙幣の収納枚数は、例えば、別途計数機などで計数しておき、紙幣を装填するときに入力装置などから作業者がその値を入力する必要があった。
【０００８】
また、特許文献２のように官封札用、流通札用の出金カセットを使用する場合は作業者が誤りなく官封札用の出金カセットには官封札を、流通札用の出金カセットには流通札を装填する必要があった。
【０００９】
いずれの場合においても紙幣処理装置に紙幣を装填する際に作業者が官封札か流通札かのであることの情報や紙幣の収納枚数の情報を紙幣処理装置に入力してやる必要があり、作業者が誤入力すると適切に紙幣収納量の検知ができず、取引に十分な紙幣が装填されているにもかかわらず、紙幣の残量少として運用を中止したり、官封札の両替を希望する顧客に対して流通札を出金してしまうような問題点が発生する。
【００１０】
本発明の目的は、紙幣処理装置により自動的に官封札の判定を行うことで紙幣装填時の作業者の操作を減らし、取引装置における前述の問題点を解決するものである。
【課題を解決するための手段】
【００１１】
前述の目的を達成するために、本発明は、搬送された紙幣の記番号を光学的に読み取る記番号読み取り手段と、搬送された紙幣において、最近の複数枚の記番号を記憶する手段と、該記憶手段で記憶した記番号が少なくとも複数連続している場合に、官封札であると判断する判断手段と、を備えた紙幣搬送装置において、搬送された複数の紙幣が前記判断手段で官封札であると判断した場合に、官封札に対応した前記紙幣の搬送制御を行うように構成したことにある。
【００１２】
上述のような構成としたので作業者は装填する紙幣が官封札であるかの情報を入力する必要がなくなる。
【００１３】
さらに前記の紙幣処理装置は紙幣の入出金カセット内で上下動自在に設けられて上面に紙幣が集積載置される押圧板と押圧板の上下位置により紙幣の集積高さを検出する機構と集積高さＨにより紙幣の収容量Ｍ＝ａＨを算出する装置において前記判断手段で判定した結果、官封札であった場合に紙幣収容量を算出する演算式を補正し、官封札の収容量Ｎ＝ｂＨを算出する。
（ただしＭおよびＮ：紙幣収容量（枚）、Ｈ：集積高さ、ａ：流通札の集積高さあたりの枚数、ｂ：官封札の集積高さあたりの枚数）
ように構成したことにある。
【００１４】
上述のような構成としたので、例えば官封札を装填した時は、自動的に集積高さから官封札の収容量Ｍを算出でき、取引に十分な紙幣が装填されているにもかかわらず、紙幣の残量少として運用を中止することはなくなる。
【００１５】
さらに前記の紙幣処理装置は紙幣の低速搬送、高速搬送を切り替える速度切替手段を備え前記判断手段で判定した結果、官封札であった場合に前記紙幣の搬送速度を低速搬送に前記速度切替手段で切り替えするように構成したことにある。
【００１６】
上述のような構成としたので官封札の場合は低速搬送にすることで紙幣の損傷を低減することが可能となり、官封札の状態を保ったまま顧客へ出金し、また流通札の場合は高速搬送にすることで処理時間を短縮することができ、顧客の待ち時間が少なくなる。
【００１７】
さらに紙幣を計数して入出金カセットに装填する紙幣処理装置においては前記判断手段で流通札か官封札かを判定する第１の判定手段と紙幣の入出金カセット内で上下動自在に設けられて上面に紙幣が集積載置される押圧板と押圧板の上下位置により紙幣の集積高さを検出する機構を有し、紙幣の収容量Ｎと集積高さＨにより、集積高さあたりの枚数ｃ＝Ｎ／Ｈを算出する装置においてｃの値により流通札か官封札かを判定する第２の判定手段と同一額面金種の官封札を収納する第１の入出金カセットと同一額面金種の流通札を収納する第２の入出金カセットと上位からの指令に従い紙幣の取扱い処理を制御する制御部と該制御部は上位からの紙幣の出金要求に対して第２の入出金カセットに収納されている流通札よりも第１の入出金カセットに収納されているの官封札を優先して出金するように構成したことにある。
【００１８】
上述のように構成したことにより、２つの判断手段を組み合わせることで、より確実に官封札であることが可能となり、官封札および流通札を指定しての両替や出金サービスに使用することができる。
【００１９】
さらに前記の紙幣処理装置は前記第１の入出金カセットに収納された紙幣の残量を検知する検知手段を設け、該制御部は上位からの紙幣の出金要求に対して、前記検知手段で第１の入出金カセットに収納されている官封札が無いことを検知した場合、流通札を収納する入出金カセットとして運用するように構成したことにある。
【００２０】
上述のように構成したことにより、複数の入出金カセットを効率よく使用することができる。
【００２１】
さらに前記の紙幣処理装置は入出金カセットに紙幣を装填した時に所定の紙幣を搬送し、該紙幣が正常に入出金カセットに収納できるか否かを確認する搬送路確認手段を備え、該搬送路確認を実施する際に記番号読み取りを行い、前記判断を行うように構成したことにある。
【００２２】
上述のように構成したことにより、紙幣処理装置に紙幣を装填した後で装填した紙幣が正常に搬送できるかの確認を行うと同時に効率よく、官封札かどうかの判定ができる。
【００２３】
さらに前記の紙幣処理装置は入出金カセットからの出金時に前記記番号読み取り手段で出金された紙幣の記番号読み取りを行い、前記判定を行うように構成したことにある。
【００２４】
上述のように構成したことにより、紙幣装填時に官封札かどうかの判定を行った後の取引運用中に再度判定を行い、対応した処理に変更することができる。
【００２５】
さらに前記の紙幣処理装置を設けた取引処理装置は顧客に案内する表示部を有し出金される紙幣が官封札の場合に官封札が出金可能な旨を該表示部に表示案内するように構成したことにある。
【００２６】
上述のように構成したことにより、官封札が出金可能な場合に顧客が選択ボタンを押下することにより希望する紙幣を出金することができる。
【発明の効果】
【００２７】
本発明によれば、官封札の自動検知により作業者の負荷を低減することが可能な紙幣処理装置を提供することができる。
【図面の簡単な説明】
【００２８】
【図１】紙幣処理装置の構成図である。
【図２】紙幣処理装置のブロック図である。
【図３】紙幣の判別フローチャート図である。
【図４】記番号が連続している例を示す。
【図５】入出金カセット内の流通札、官封札紙幣集積の比較図である。
【図６】入出金カセット内の紙幣集積図である。
【図７】取引処理装置の外観図である。
【図８】顧客案内画面である。
【発明を実施するための形態】
【００２９】
図１は本発明の実施形態にかかる紙幣処理装置を示す図である。この図において、１は入出金部、２は紙幣の金種、真偽、種類、状態を判別し、記番号情報を読み取る紙幣識別部、３は紙幣を一時的に保管する一時保留部、４、５、６は紙幣を収納する入出金カセット、７はリジェクト紙幣を収納するためのリジェクト回収庫、８は紙幣の装填や回収に使用するための装填回収カセット、９は紙幣処理装置内の紙幣を搬送する搬送路、１０は紙幣を搬送するための紙幣搬送部である。
【００３０】
図１の紙幣処理装置を用いた紙幣の入金取引の動作概要を説明する。
【００３１】
はじめに入出金カセット４、５、６に現金を装填する。直接手詰めしても良いし、装填回収カセット８から繰り出して紙幣識別部２を通して判別し、各金種の入出金カセット４、５、６に搬送しても良い。出金要求があった場合は入出金カセット４、５、６から紙幣を繰り出して紙幣識別部２を通して入出金口１に搬送する。正しく識別できなかった紙幣はリジェクト回収庫７に回収する。
【００３２】
図２は紙幣処理装置のブロック図である。この図において２００は制御部、２０１は種々の情報を記憶するメモリ、２０２はメモリ内の記番号記憶領域、２０３は紙幣の枚数や官封札かどうかなどの紙幣情報の記憶領域、２０４は通信部、２０５は紙幣処理装置にさまざまな指令を出す上位制御部である。
【００３３】
紙幣識別部２で読み取った記番号情報はメモリ２０１の記番号記憶領域２０２に記憶する。
【００３４】
図３は読み取った記番号から官封札と判断する処理のフローチャートである。紙幣を搬送して（Ｓ３０２）記番号を読み取る（Ｓ３０３）。
【００３５】
読み取った記番号はメモリに記憶する（Ｓ３０４）。規定の枚数を読み取ったら（Ｓ３０５）記番号が連続しているかどうかの判定をおこなう（Ｓ３０６）。その結果、記番号が連続していれば官封札としてメモリに記憶する（Ｓ３０７）。記番号が連続していなければ流通札としてメモリに記憶する（Ｓ３０８）。
【００３６】
図４は読み取ったメモリの記番号記憶領域で最近の搬送した紙幣１０枚の記番号の例である。a)はすべての記番号が連続している。b)は読み取り不良の紙幣を挟んですべての記番号が連続している。読み取り不良の紙幣の記番号は AB012349C であると推測できる。c)は２組の記番号が連続しており、２組の官封札の境界であると推定できる。
【００３７】
いずれの場合も記番号が連続していると判断でき、そのことから装填されている紙幣は官封札であると判定できる。
【００３８】
図５は入出金カセット内部の詳細図である。５０１は集積された紙幣、５０２は紙幣を押し上げる押圧版である。図５のように同じＭ枚の流通札と官封札の場合、流通札の集積高さＨｒと官封札の集積高さＨｋは異なる。流通札の集積高さあたりの枚数ａは、ａ＝Ｍ／Ｈｒ、官封札の集積高さあたりの枚数ｂは、ｂ＝Ｍ／Ｈｋで算出できる。
【００３９】
紙幣を計数せずに収容量Ｍが不明な場合は、集積高さの測定誤差や紙幣個々の状態による誤差を考慮しても、集積高さＨと集積高さあたりの紙幣枚数から流通札の場合は、Ｍ＝ａＨ、官封札の場合は、Ｍ＝ｂＨで概算の枚数が算出できる。
【００４０】
紙幣の枚数管理をしない紙幣処理装置の場合は算出した枚数により取引に必要な枚数が収容されていれば出金取扱可能と判断できる。
【００４１】
図６のように紙幣を計数して収容量Ｍが判明している場合は、集積高さＨｘより収容されている紙幣の集積高さあたりの枚数ｃ＝Ｍ／Ｈｘが算出できる。値ｃがａに近い値ならば収容されている紙幣は流通札、ｂに近い値ならば官封札であると判断でき、記番号が連続していることによる判定と合わせて判定することにより、より正確に官封札であることの判定ができる。
【００４２】
つぎに現金管理をしない場合の両替機の実施例のながれを図１と図７で説明する。
【００４３】
図７は取引処理装置の外観図である。図７の７０２は硬貨処理部、７０３は顧客に案内表示する表示部、７０４は本体扉の裏側に設置されており、係員が操作をする係員パネルである。図７の取引処理装置を両替機として説明する。
【００４４】
図１の４は万円、５は五千円、６は千円の入出金カセット、８は万円入金用として使用する。係員が万円入出金カセット４に官封札を装填した後、係員パネル７０４から搬送路確認テストを実行する。
【００４５】
紙幣処理部１００は入出金カセット４から紙幣を繰り出して搬送路９を搬送する。搬送路９の途中の紙幣識別部２を通過する際に記番号を読み取る。繰り出した紙幣は一時保留部３に保留し、一定枚数繰り出した後に入出金カセット４に戻す。記番号が連続していることで官封札が装填されていると判断して両替取引運用を開始する。両替用に顧客に入金された万円札は万円入金庫８に収納すればよい。官封札を出金する場合は搬送装置１０を低速搬送に切り替えて搬送による損傷の少ない紙幣を出金する。官封札の枚数が限られている場合は、官封札万円の下に流通札を重ねて入出金カセット４に装填してもよい。万円を出金する際に読み取った記番号が連続しなくなった時に流通札が装填されていると判断できるので対応した処理を行えばよい。
【００４６】
つぎに現金を計数して装填し、現金管理をするＡＴＭの実施例の流れを図１と図７と図８で説明する。
【００４７】
図１の４は官封札万円または流通札万円、５は流通札万円、６は千円カセット、８は装填カセットとして使用する。
【００４８】
係員は装填カセット８の上部に官封札万円、下部に流通札万円紙幣を装填した後、係員パネル７０４から現金装填を実行する。紙幣処理部１００は装填カセット８のから紙幣を搬送して紙幣識別部２を通過する際に記番号を含む紙幣情報を読み取り、第１の判断手段で官封札は万円入出金カセット４、流通札は万円入出金カセット５に装填する。
【００４９】
装填終了したあとで万円入出金カセット４の収容枚数と集積高さより、第２の判断手段で官封札かどうかの判断を行う。
【００５０】
第１および第２の判断手段をともに使用することでより確実に官封札と判定することができる。官封札が収納されているうちは、出金が可能な旨を表示部７０３に表示して顧客案内すれば顧客が選択して出金することができる。図８は顧客案内の表示例である。
【００５１】
官封札が出金されて万円入出金カセット４の紙幣がなくなれば万円入出金カセット４は通常の万円入出金カセットとして使用すれば有効に入出金カセットの運用ができる。
【符号の説明】
【００５２】
１…入出金部、２…紙幣識別部、３…一時保留部、４〜６…入出金カセット、７リジェクト回収庫、８…装填回収カセット、９…搬送路、１０…紙幣搬送部、１００…紙幣処理装置、２００…制御部、２０１…メモリ、２０５…上位制御部、７０１…取引処理装置、７０２…硬貨処理部、７０３…表示部、７０４…係員パネル。
【図１】
2010277210.tif 000003
【図２】
2010277210.tif 000004
【図３】
2010277210.tif 000005
【図４】
2010277210.tif 000006
【図５】
2010277210.tif 000007
【図６】
2010277210.tif 000008
【図７】
2010277210.tif 000009
【図８】
2010277210.tif 000010